(57)【要約】  キャビネット本体から引き出し可能な引き出し２を備えているキャビネット１を開示する。このキャビネットは、引き出しが押し込まれているときには引き出しを収容するキャビネットの内部空間内に完全に位置するとともに引き出しが引き出されるとキャビネットの区切りを超えて突出する少なくとも１つの枢動可能な収納部品３を引き出しが備えており、収納部品は蓄力器によって外方枢動方向へ付勢されていることを特徴とする。キャビネットは、引き出しが押し込まれているときには引き出しを収容するキャビネットの内部空間内に完全に位置するとともに引き出しが引き出されるとキャビネットの区切りを超えて突出する少なくとも１つのスライド可能な収納部品３を引き出しが備えており、収納部品は蓄力器によって外方枢動方向へ付勢されているか、または案内装置に沿って強制案内されているように構成されていてもよい。【選択図】図１
2009504358.tif 000002
【特許請求の範囲】
【請求項１】
キャビネット本体から引き出し可能な引き出し部品、特に引き出し（２）を備えているキャビネット（１）において、
前記引き出し部品（２）は、該引き出し部品（２）が押し込まれているときには前記引き出し部品（２）を収容する前記キャビネット（１）の内部空間内に完全に位置するとともに前記引き出し部品（２）が引き出されるとき前記キャビネット（１）の区切りを超えて突出する少なくとも１つの枢動可能な収納部品（３）を備えており、
前記収納部品（３）は蓄力器によって外方枢動方向へ付勢されていることを特徴とするキャビネット。
【請求項２】
前記収納部品（３）が軸（４，４ａ）を中心として枢動可能であることを特徴とする、請求項１に記載のキャビネット。
【請求項３】
前記軸（４）が鉛直に延びていることを特徴とする、請求項２に記載のキャビネット。
【請求項４】
前記軸（４ａ）が水平に延びていることを特徴とする、請求項２に記載のキャビネット。
【請求項５】
前記収納部品（３）が多軸のヒンジ（１６）を介して枢動可能であることを特徴とする、請求項１に記載のキャビネット。
【請求項６】
前記収納部品（３）が前記キャビネット（１）の側方の区切りを超えて突出するように枢動可能であることを特徴とする、請求項１〜５のいずれか一項に記載のキャビネット。
【請求項７】
前記軸（４，４ａ）が前記引き出し部品（２）の裏側領域で裏壁（２ａ）に隣接して配置されていることを特徴とする、請求項２または３に記載のキャビネット。
【請求項８】
前記収納部品（３）がトーションばね（５）、板ばね、重力で操作されるケーブル滑車などによって外方枢動方向へ常時付勢されていることを特徴とする、請求項１〜７のいずれか一項に記載のキャビネット。
【請求項９】
前記収納部品（３）の内側の壁領域（３ａ）は、前記引き出し部品（２）が開いて前記収納部品（３）が枢動して外に出たときに前記引き出し部品（２）の側壁（２ａ）とほぼ平行に延びることを特徴とする、請求項１〜８のいずれか一項に記載のキャビネット。
【請求項１０】
前記収納部品（３）の外壁領域（３ｂ）がキャビネット側に取り付けられた案内部材に対して圧着されており、前記引き出し部品（２）が開閉されるときに該案内部材を通り過ぎるように進行し、または該案内部材を通り過ぎるように摺動することを特徴とする、請求項１〜９のいずれか一項に記載のキャビネット。
【請求項１１】
前記案内部材がロール（６）であることを特徴とする、請求項１０に記載のキャビネット。
【請求項１２】
前記案内部材が球であることを特徴とする、請求項１〜１０のいずれか一項に記載のキャビネット。
【請求項１３】
前記案内部材と接触する前記収納部品（３）の領域が前記案内部材の方向に湾曲するように構成されていることを特徴とする、請求項１〜１２のいずれか一項に記載のキャビネット。
【請求項１４】
前記案内部材と接触する前記収納部品（３）の前記外壁領域（３ｂ）が、前記軸（４，４ａ）のほうを向いている内側の端部領域を起点として、まず内方に向かって凹面状に湾曲する領域と、その後に続く、前側の端面側の壁領域（３ｃ）へと移行する外方に向かって凸面状に湾曲する領域とを有していることを特徴とする、請求項１〜１３のいずれか一項に記載のキャビネット。
【請求項１５】
前記引き出し部品（２）の内部に、前記収納部品（３）よりわずかに下側に位置するヨーク（７）が配置されていることを特徴とする、請求項１〜１４のいずれか一項に記載のキャビネット。
【請求項１６】
前記収納部品（３）がカバーを備えていることを特徴とする、請求項１〜１５のいずれか一項に記載のキャビネット。
【請求項１７】
追加の前記収納部品（３）が前記軸（４）に対して間隔をおきながら前記引き出し部品（２）の側壁（２ａ）に取り付けられた支持装置（８）によって底面側で支持されていることを特徴とする、請求項１〜１６のいずれか一項に記載のキャビネット。
【請求項１８】
前記支持装置（８）が前記収納部品（３）の底面との直接的な接触領域にロール（９）、球、またはその他の任意の摺動片を有していることを特徴とする、請求項１７に記載のキャビネット。
【請求項１９】
前記収納部品（３）が上方からアクセス可能な充填領域を有するとともに、該充填領域の下側に、前側からアクセス可能な追加の収容室（１２）を備えていることを特徴とする、請求項１〜１８のいずれか一項に記載のキャビネット。
【請求項２０】
前記収納部品（３）が上方からアクセス可能な充填領域の下側に格子かご（１３）を備えていることを特徴とする、請求項１〜１８のいずれか一項に記載のキャビネット。
【請求項２１】
前記引き出し部品（２）の底面と前記収納部品（３）の内側の前記壁領域（３ａ）との間に係止手段（１４）が取り付けられており、前記引き出し部品（２）が押し込まれたときにこれらの係止手段の間で皿（１５）の形態の食器またはその他の用具を固定可能であることを特徴とする、請求項１〜２０のいずれか一項に記載のキャビネット。
【請求項２２】
前記収納部品（３）が、異なる平面で相上下して位置し、前記引き出し部品（２）を開けたときに階段状または扇状に外方枢動可能な２つ以上の収納部材（３０）で構成されていることを特徴とする、請求項１〜２１のいずれか一項に記載のキャビネット。
【請求項２３】
前記収納部品（３）がそれを中心として枢動可能であるところの垂直に延びる前記軸（４）の領域に傾いた平面（２８）が設けられており、それにより前記収納部品（３）が枢動するときに上昇または下降し、前記引き出し部品（２）が閉められたときに前記引き出し部品（２）に配置された容器（２７）を閉止することを特徴とする、請求項１〜２２のいずれか一項に記載のキャビネット。
【請求項２４】
前記引き出し部品（２）には右側と左側にそれぞれ１つの枢動可能な前記収納部品（３）が配置されていることを特徴とする、請求項１〜２３のいずれか一項に記載のキャビネット。
【請求項２５】
両方の前記収納部品（３）が前記引き出し部品（２）の横枠の代わりになっていることを特徴とする、請求項２４に記載のキャビネット。
【請求項２６】
前記収納部品（３）が扇状に拡張可能な２つ以上の丸棒（３００）で構成されていることを特徴とする、請求項１〜２５のいずれか一項に記載のキャビネット。
【請求項２７】
前記丸棒（３００）が垂直に延びる前記軸（４）を中心として枢動可能であり、トーションばねで付勢される前記軸（４）の下側端部に長尺棒（３５）が取り付かれており、該長尺棒がトーションばね付勢によって前記丸棒（３００）の外方枢動方向へ常時付勢されるとともに、特にロール（３４）の形態の案内部材に当接していることを特徴とする、請求項２６に記載のキャビネット。
【請求項２８】
水平な前記軸（４ａ）を中心として枢動可能な前記収納部品（３）が前記引き出し部品（２）の前面パネル（３２）の領域に位置する充填開口部（３１）を有していることを特徴とする、請求項１〜２７のいずれか一項に記載のキャビネット。
【請求項２９】
水平に延びる前記軸（４ａ）がトーションばねで付勢されており、該軸と結合された前記収納部品（３）が前記トーションばねによって外方枢動方向へ常時付勢されていることを特徴とする、請求項２８に記載のキャビネット。
【請求項３０】
多軸の前記ヒンジ（１６）と連結された前記収納部品の駆動が、一方では前記収納部品（３）および他方ではラック（１８）と枢着結合された駆動レバー（１７）を介して行われ、前記ラック（１８）が伝動装置（１９）を介して定置の別のラック（２０）と連結されており、それにより前記駆動レバー（１７）と連結された前記ラック（１８）が前記収納部品（３）が引き出されると同じように引き出し方向へスライドし、前記レバー（１７）を介して前記収納部品（３）の枢動が惹起されることを特徴とする、請求項５に記載のキャビネット。
【請求項３１】
多軸の前記ヒンジ（１６）の軸（１６ａ）がばね（２１）の形態の蓄力器によって前記収納部品（３）の外方枢動方向へ常時付勢されていることを特徴とする、請求項５に記載のキャビネット。
【請求項３２】
前記収納部品（３）が上に装着された握り片（２２）を備えていることを特徴とする、請求項３１に記載のキャビネット。
【請求項３３】
多軸の前記ヒンジ（１６）が電動モータ（２４）で駆動される伝動装置（２３）を介して枢動可能であることを特徴とする、請求項５に記載のキャビネット。
【請求項３４】
前記電動モータ（２４）の制御が、前記引き出し部材（２）が運動したときにキャビネット本体に設けられたマーキング（２６）を通じて作動する光学式通過センサ（２５）を通じて行なわれることを特徴とする、請求項３３に記載のキャビネット。
【請求項３５】
キャビネット本体から引き出し可能な引き出し部品、特に引き出し（２）を備えているキャビネット（１）において、
前記引き出し部品（２）は、該引き出し部品（２）が押し込まれているときには前記引き出し部品（２）を収容する前記キャビネット（１）の内部空間内に完全に位置するとともに前記引き出し部品（２）が引き出されるとき前記キャビネット（１）の区切りを超えて突出する少なくとも１つのスライド可能な収納部品（３）を備えており、
前記収納部品（３）は蓄力器によって、押出し方向へ付勢されているか、または案内装置に沿って強制案内されていることを特徴とするキャビネット。
【請求項３６】
前記収納部品（３）が前記引き出し部材（２）に対して相対的に該引き出し部材の側壁（２ａ）に対して鉛直にスライド可能であることを特徴とする、請求項３５に記載のキャビネット。
【請求項３７】
前記収納部品（３）が前記引き出し部材（２）の前記側壁（２ａ）に対して鉛直に延びるばね（１０）の形態の蓄力器によって押出し方向へ常時付勢されていることを特徴とする、請求項３５または３６に記載のキャビネット。
【請求項３８】
前記収納部品（３）が前記引き出し部材（２）の前記側壁（２ａ）に対して傾いた辺によって２つのロール（６）の間で案内されており、それにより前記引き出し部材（２）が開閉されたときに前記収納部品（３）に対する幾何学的な強制案内が生じることを特徴とする、請求項３５または３６に記載のキャビネット。
【請求項３９】
前記両方のロール（６）がホルダ（１１）に組み付けられており、該ホルダがさらに前記キャビネット（１）のキャビネット本体に定置に取り付けられていることを特徴とする、請求項３８に記載のキャビネット。
【発明の詳細な説明】
【技術分野】
【０００１】
本発明は、キャビネット本体から引き出し可能な引き出し部品、特に引き出しを備えているキャビネットに関するものである。
【背景技術】
【０００２】
引き出しの形態の引き出し部品を備えているキャビネットは、さまざまな実施形態のものが知られている。通常、キャビネットは相上下して配置された複数の引き出し部品、たとえば引き出し等を備えるように構成されている。引き出し部品の高さは、引き出し部品の底面の広さとの関連で、理論的に利用可能な充填容積をもたらす。このような種類の引き出し部品のなかで、高さが引き出し部品の高さとほぼ一致する物品が保管されるときは、この容積を容易に完全利用することができる。
【０００３】
引き出し部品の高さよりも小さい物品を収蔵すると、充填容積をほぼ利用することも可能ではあるものの、その場合には、下に置かれた物品へ容易にアクセスすることができなくなる。
【発明の開示】
【発明が解決しようとする課題】
【０００４】
本発明の課題は、引き出し部品がその利用可能な充填容積に関して、特に収納されるべき物品が小さい場合にも収納された物品への支障のないアクセスを可能にする、当分野に属する種類のキャビネットを提供することにある。
【課題を解決するための手段】
【０００５】
この課題の解決法の要諦は、本発明によると、引き出し部品が押し込まれているときには引き出し部品を収容するキャビネットの内部空間内に完全に位置するとともに引き出し部品が引き出されるとキャビネットの区切りを超えて突出する少なくとも１つの枢動可能な収納部品を引き出し部品が備えており、収納部品は蓄力器によって外方枢動方向へ付勢されていることにある。
【０００６】
課された課題は、引き出し部品が押し込まれているときには引き出し部品を収容するキャビネットの内部空間内に完全に位置するとともに引き出し部品が引き出されるとキャビネットの区切りを超えて突出する少なくとも１つのスライド可能な収納部品を引き出し部品が備えており、収納部品は蓄力器によって押出し方向へ付勢されているか、または案内装置に沿って強制案内されていることによっても解決することができる。
【０００７】
少なくとも１つの追加の収納部品によって、引き出し部品の収蔵スペースに関わりなく、それ以外に利用可能な収納区画が提供され、それにより、追加の収納部品を含めた引き出し部品全体の異なる平面内で小さい物品を格納し、また、いつでも支障なく取り出すことができるようになる。
【０００８】
最初に挙げた解決法では、収納部品は引き出し部品が引き出されるときに枢動し、２番目の解決法では、追加の収納部品は基本位置から出ていくようにスライドする。
【０００９】
いずれの解決法にも共通しているのは、追加の収納部品の枢動またはスライドが利用者によって別途の作業工程で行われる必要はなく、引き出し部品が引き出されれといわば自動的に行われることである。
【００１０】
したがって、最高度の操作快適性が実現される。
【００１１】
本発明の設計により、利用できる充填スペース全体の活用性が、収納された個々の物への容易なアクセス性という観点から明らかに改善される。
【００１２】
収納部品を外方枢動方向または押出し方向へばね付勢または強制案内することによって、収納部品は、引き出し部品が完全に開けられたときに、引き出し部品の底面がほぼ全面的に自由にアクセス可能になる程度まで、当該底面から外に出るように枢動またはスライドする。
【００１３】
このように追加の収納部品によって、本来の引き出し部品の利用可能な底面および利用可能な充填容積が損なわれることがない。
【００１４】
上に最初に掲げた解決法に基づく本発明の発展例は、収納部品が軸を中心として枢動可能であることを意図している。
【００１５】
この場合、軸は鉛直に延びているか、またはその代替案として水平に延びていてよく、そのようにして、収納部品のさまざまな枢動運動を生じさせることができる。
【００１６】
収納部品を多重リンク機構によって枢動させることも可能である。
【００１７】
両方の実施形態において、キャビネットの側方の区切りを超えて収納部品を枢動またはスライドさせることができるのが好ましい。
【００１８】
本発明のその他の構成要件は、後続する従属請求項の対象となっている。
【００１９】
添付の図面には本発明の実施形態が示されており、以下においてこれらを詳しく説明する。
【発明を実施するための最良の形態】
【００２０】
図１では、ここでは引き出し２の形態である複数の引き出し部品を備えたキャビネットに、全体として符号１が付されている。図１から図３が明瞭に示しているように、引き出しの形式のこの引き出し部品２の特殊なところは、この引き出し２の側方領域にそれぞれ追加の収納部品３が配置されている点にある。この追加の収納部品３は、引き出し部品２と結合されている鉛直な軸４を中心として枢動可能である。このとき引き出し部品３は（一般的に表現すると）蓄力器によって、それぞれ外方枢動方向へ常時付勢されている。
【００２１】
これは、たとえばねじりばね５の形態の蓄力器であってよく、その様子は図４に示されている。当然ながら、ここではこれ以外のあらゆる形態の蓄力器、たとえば板ばね、曲げばね、重力で付勢されるケーブル滑車等が考慮の対象となる。
【００２２】
ここで決定的に重要なのは、各々の収納部品３が外方枢動方向へ常時付勢されていることだけであり、それにより、たとえば図２および図３から明らかなように、引き出し部品２を開けると、引き出し部品２それ自体を収容するキャビネット１の内部空間の中に当初は位置していた収納部品３が、追加の操作なしに、すなわち追加的に手で触れることなしに、外方枢動位置へと動くようになっている。
【００２３】
上に挙げたこれらの図面は、引き出し部品２を開けたときに収納部品３の内側の壁領域３ａが、引き出し部品２の側壁２ａとほぼ平行に延びることも明らかにしている。すなわち換言すれば、引き出し部品２が完全に引き出されると、その引き出し部品２の底面は全面的に自由にアクセス可能となり、したがって、引き出し部品２の収蔵スペースを支障なく完全に利用可能である。それに対して追加の収納部品３は、キャビネット１の側壁をさらに超えて横に突き出ている。
【００２４】
したがってこの収納部品３もその収蔵スペースに関して、引き出し部品２を開いたときに自由にアクセス可能となり、全面的に活用可能となる。
【００２５】
特に図５から図９を見ると明らかなように、追加の収納部品３がその周りを枢動可能であるところの軸４は、引き出し部品２の裏壁２ｂの領域にほぼ位置している。内部空間と反対を向いているほうの収納部品３の外壁領域３ｂは特別な輪郭形状を有しており、この輪郭形状について以下に記述し、その目的についてもその際に詳しく説明する。
【００２６】
軸４の近傍領域では、各々の収納部品３の前述した外壁領域３ｂは内壁領域３ａとほぼ平行に延びている。
【００２７】
外壁領域３ｂは、軸４に対して少しの間隔をおいて、内方に向かって凹面状に湾曲する形状を有している。それから外壁領域３ｂは収納部品３の端面３ｃに向かって凸面状に湾曲しており、このような輪郭形状の目的は、図５に示すように引き出し部品２が押し込まれたときに、各々の収納部品３を引き出し部品２の閉止方向へ付勢することにある。各々の収納部品３の輪郭線をもつ側壁領域３ｂは、たとえばキャビネット側に組み付けられたロール６によって案内される。このロール６は、閉止状態のときには上に説明した輪郭の１つの領域に当接しており、このとき、収納部品３が外方枢動方向へばね付勢されていることによって、引き出し部品の閉止方向の力成分が生成されており、その様子は図５が特に明らかに示している。
【００２８】
図６が示しているように、引き出し部品がキャビネット１のキャビネット本体から部分的に引き出されると、ロール６はたとえば凸面状に湾曲した輪郭の頂点のところに当接する。不安定なバランス状態に相当するこの状態のとき、収納部品３のばね付勢によっては、閉止方向の力も開放方向の力も生成されない。引き出し部品２がさらに引き出されると、ロール６は、内方に向かって凹面状に湾曲している案内輪郭の領域に達し、このことは、収納部品３に対するばね付勢が、引き出し部品２の引き出し方向へサポートをするように作用する力成分を生成するという結果につながる。こうして引き出し部品の開放が明らかにサポートされ、ばね付勢が相応に設定されていれば、引き出し部品の自動的な開放を実現することさえ可能である。最終的な開放位置に達する直前に、開放方向の力成分は再び明らかに減少する。このときには輪郭形状が、キャビネットの側壁に対してほぼ平行位置になっているからである。図９に示すように引き出し部品２が完全に開けられると、ロール６と追加の収納部品３との間の接触は完全に解消されて、収納部品３は外方枢動方向へのみ付勢されるようになっている。
【００２９】
そして引き出し部品２を閉めるときは、運動が相応に逆向きに進行することで、収納部品３が再びキャビネット１の内部空間領域へ引き戻され、その際に、たとえばねじりばね５のような蓄力器に応力がかかる。
【００３０】
それぞれの収納部品３の外壁領域３ｂにおける湾曲して丸みを帯びた輪郭形状により、収納部品３が、隣接するキャビネットの引き出し部品とぶつかったときに挟まったり引っかかったりすることがなく、そのような場合、接触の仕方に応じて収納部品が閉止方向へ枢動して戻ることも保証される。
【００３１】
各々の収納部品３の円弧状に構成された外側輪郭が、ロール６に沿って案内されることについて述べた。これに代えて、案内部材として球を利用することも当然ながら可能であり、この場合には点状の負荷だけが発生することになる。同様に、収納部品３と案内ロール６との本来の接触ゾーンが湾曲するように構成されていてもよく、それにより、相応に摩擦の少ないほぼ点状の接触が同じく得られる。
【００３２】
引き出し部品２の内部には、図２がきわめて明瞭に示しているように、引き出し部品２の利用可能な収蔵空間の高さを枢動領域で指し示すヨーク７が配置されている。このようにして利用者が、追加の収納部品３の内方枢動を妨げることになる高さまで引き出し部品２を充填してしまうことが回避される。
【００３３】
各々の収納部品３は、必要に応じて追加の上側のカバーを備えていてもよいが、これは絶対に必要というわけではない。
【００３４】
図４を見ると明瞭にわかるように、収納部品３は、軸４に対して明らかな間隔をおいたところで、該当する引き出し部品２の側壁２ａに組み付けられた支持装置８によって底面側で支持されていてよい。
【００３５】
この支持装置８は、収納部品３との直接的な接触領域にロール９を備えていてよく、あるいはその代替として球または任意の摺動片を備えていてよいが、このとき、収納部品３ないしその底面と支持装置８との間の摩擦力を、最終的にきわめて低く抑えるように努めるべきである。
【００３６】
支持装置８によって、収納部品は軸４に対して明らかな間隔をおいたところで垂直方向に支持されるので、収納部品３を比較的重い物品で充填することも十分に可能であり、その際に、垂直軸４に対する収納部品３の傾きが起こることがない。
【００３７】
図１０ａから図１０ｄには、収納部品３が引き出し部品２に対して相対的に枢動可能なのではなく、引き出し部品２の側壁２ａに対して鉛直にスライド可能であることによって上に説明した実施形態と異なる、本発明の実施形態が示されている。
【００３８】
この収納部品３はほぼ三角形状の底面を有しており、底面の１つの辺は側壁２ａと平行に延び、１つの辺はこれに対して鉛直に延び、そして第３の辺は引き出し部品２の側壁２ａに対して角度をなして延びている。角度をなして延びるこの辺は、キャビネット本体にあるロール６を介して摺動し、全体的に収納部品３は、引き出し部品２の側壁２ａに対して鉛直に延びるばね１０の形態の蓄力器によって、押出し方向へ常時付勢されている。
【００３９】
図１０ａおよび図１０ｃに示す基本位置（押し込まれた引き出し部品２）から引き出し部品２を開けていくと、引き出した長さが増すにつれて、収納部品３はキャビネット１の側方の区切りを超えてスライドする。引き出し部品２がその開放位置から再びキャビネット内部へ押し戻されるとき、収納部品３はロール６に常時当接していることにより、同時にばね１０に応力をかけながら再びキャビネット１の内部へスライドして戻る。このときばね１０の力は、閉止位置の追加の固定部を省略できるようにするために、引き出し部品２が意図せず自然に開くのがちょうど防止されるように選択するのがよい。
【００４０】
図１１ａから図１１ｃは、図１０ａから図１０ｄにきわめて類似する実施形態を示している。この場合にも、収納部品は引き出し部品２の側壁２ａに対して鉛直にスライド可能である。ただし収納部品３は、ここでは蓄力器によって付勢されるのではなく、引き出し部品２の側壁２ａに対して傾いた辺が２つのロール６の間で案内されており、その様子は特に図１１ｃが格別に明瞭に示しており、それにより、引き出し部品２を開閉すると、収納部品３に対して幾何学的な強制案内が生じる。それは収納部品３の傾いた辺３ｄが、キャビネット本体に取り付けられたそれぞれのロール６の間で強制的にスライドすることによるものであり、このことは、引き出し部品２の側壁２ａに対して相対的に、収納部品３が鉛直方向へスライドするという結果につながる。
【００４１】
両方のロールはホルダ１１に組み付けられており、さらにこのホルダは、キャビネット１のキャビネット本体に定置に取り付けられている。
【００４２】
図１２ａから図１２ｃは、収納部品３の機能に関して図１から図９の実施形態に相当している本発明の実施形態を示しているが、ただし収納部品３自体は、図１から図９に示す実施形態とは異なる構成を有している。図１２ａから図１２ｄが明瞭に示すように、この収納部品３は上方からアクセス可能な充填領域の下側に、その前面から見てアクセス可能な追加の収容室１２を装備している。これらの収容室１２は、特に、たとえば食器、筆記具などの長尺状の用具を収容するために設けられている。
【００４３】
これに類似する変形例を図１３ａから図１３ｃが示しており、この場合、上方からアクセス可能な収納部品３の充填領域の下側に、任意の用具を収容するための格子かご１３が設けられている。
【００４４】
図１４ａと図１４ｂに示す実施形態でも、図１から図９の実施形態に基本的に相当する基本構造が具体化されている。ここでは引き出し部品２の底面に、ならびに収納部品３の内側の壁領域３ａに、係止手段１４が取り付けられており、引き出し部品２が押し込まれたとき、これらの係止手段の間でたとえば皿１５などの形態の食器類を固定することができる。このような種類の実施形態は、特に船舶や地震の恐れがある地域などで推奨される。
【００４５】
図１５ａから図１５ｃには、引き出し部品３が多軸のヒンジ１６と連結されており、運動経過に関してこのヒンジ１６によって制御される本発明の実施形態が示されている。
【００４６】
収納部品３の駆動は、一方では収納部品３と枢着結合されるとともに他方ではラック１８に枢着結合された駆動レバー１７によって実現され、さらにこのラックは、伝動装置１９を介して、キャビネット本体に固定されたさらに別のラック２０と連結されている。このような設計で引き出し部品２がキャビネット本体から引き出されると、レバー１７によって収納部品３と連結されたラック１８は開放方向へ移動し、それにより、レバー１７を介して、多軸のヒンジ１６の設計に応じて収納部品３の枢動を開始させる。
【００４７】
図１６ａから図１６ｃでは、収納部品３は同じく多軸のヒンジ１６と連結されている。ここでは軸１６ａは、ばね２１の形態の蓄力器によって外方枢動方向へ付勢されており、それにより、引き出し部品２を開けるとき、ヒンジ１６およびこれと連結された収納部品３が外方に向かって、キャビネットの側方の区切りを超えて外方枢動するようになっている。
【００４８】
この設計では、収納部品３の閉止すなわち内方枢動を手作業で行わなくてはならないため、このプロセスを容易にするために、収納部品は上に装着された握り片２２を備えている。
【００４９】
図１７ａから図１７ｃの実施形態では、同じく多軸のヒンジ１６によって制御される収納部品３は、電動モータ２４で駆動される伝動装置２３によって枢動し、電動モータ２４の制御は、たとえば引き出し部品２が運動したときにキャビネット本体に設けられたマーキング２６を通じて作動する光学式通過センサ２５を通じて行うことができる。
【００５０】
図１８ａから図１８ｃは、図１８ａから図１８ｃでは垂直方向の軸を中心として枢動可能である収納部品３が、２部分またはそれ以上の部分で構成されていても十分によいことを一例として示しており、個々の収納部材３０はそれぞれ異なる平面で相上下して位置しており、引き出し部品２を開けたときに階段状または扇状に準備完了位置へ移すことができる。
【００５１】
このとき収納部品３の多部分からなる構成は、収納部品３が垂直方向の軸を中心として枢動可能であることに拘束されるものではなく、むしろ、多部分からなる収納部品３はスライド可能な収納部品の場合や、複数の軸を中心として枢動可能な収納部品３の場合にも可能である。
【００５２】
図１９ａから図１９ｆは、引き出し部品２が閉められて収納部品３が完全に内方枢動したときに、引き出し部品２に配置された容器２７を収納部品３によって実質的に密閉することができる本発明の実施形態を示している。このことは、収納部品３がその周りを枢動可能であるところの軸４の領域に、傾いた平面２８が設けられていることによって簡単なやり方で実現される。それによって収納部品３は、枢動状況に応じて上昇したり降下したりする。このような作用原理は、開放プロセスのときに自動的に持ち上がるドアのためのヒンジで一般に周知である。
【００５３】
図２０ａから図２０ｆの実施形態では、引き出し部品２の内部で水平方向に延びる軸４ａを中心として枢動可能な収納部品３が示されている。この軸４ａは、図１から図９に示す実施形態と同様に、たとえばトーションばねによって付勢されていてよく、それにより、収納部品３は上方に向かって外方枢動方向に常時付勢されている。引き出し部品２を開けると、収納部品３はまず最初に、好ましくはロールの形態の本体側の案内手段２９に当接しながら上方に向かって枢動し、それから収納部品は軸４ａの領域にある枢動角制限部によって最終位置をとり、この最終位置のときに開放領域３１は引き出し部品２の前面パネル３２の上端まで、上方に向かって突出している。そして、引き出し部品２をさらに引き出すと収納部品３は案内手段２９から離れるが、上方に向かってそれ以上枢動することはない。
【００５４】
引き出し部品２を押し込むと、収納部品３は案内手段２９により、最後の押込み段階で再び引き出し部品２の内部へ戻るように運動する。
【００５５】
図２１ａから図２１ｃでは、収納部品３が１つ以上の丸棒３００の形態で構成されていてもよく、引き出し部品２を開けたとき、これらの丸棒が扇状に互いに離れるように広がりながら使用位置くるように可動であるという選択肢もあることが示されている。この場合、図２１ａから図２１ｃに示すように、丸棒３００がその周りを枢動可能であるところの枢動軸４の領域にばね機構３３が設けられており、このばね機構によって丸棒３００を扇形に拡張させることができ、それぞれ外側の丸棒は本体側のロール３４に圧着可能である。
【００５６】
図２１ａから図２１ｃに示す実施形態のような変形例は、いわゆる「薬品棚」で有意義であるという利点がある。
【００５７】
あるいはこれに匹敵する構成を、図２２ａから図２２ｄが示しているように、ハンカチ掛けとして利用することもできる。
【００５８】
図２３ａから図２３ｄは同じくハンカチ掛けの態様を示しており、この場合、図１から図９の実施形態と同じようにトーションばねで付勢される軸４の下側端部のところに平棒３５が取り付けられており、さらにこの平棒は、本体側のロール３４に片側で当接しながら案内されている。ここでは、丸棒３００で構成される扇形の収納部３の枢動運動は、引き出し部品２を開閉するときに惹起される。
【００５９】
最後に図２４ａから図２４ｅには、床面側に配置された引き出し部品２へ組み込むために格別に有意義な本発明の実施形態が示されている。すなわちこの場合、引き出し部品２を仕切るための横枠の配置が省略されており、引き出し部品２の側方領域に配置された収納部品３が、閉じた状態のときに、引き出し部品２の側方の仕切りを事実上形成するようになっている。このような種類の設計は、すでに述べたように特にキャビネットの床面側の領域で、ペット用の餌入れとして利用できるという利点がある。
【００６０】
図示した実施形態の範囲をさらに超えて、さまざまな収納部品３の外方枢動または引き出しスライドを一般に電動モータ式または電磁式に構成することも、当業者にとって推考可能である。
【００６１】
収納部品の運動は、強制制御部の形態のレバー機構を通じて惹起することもできる。
【００６２】
垂直方向または水平方向の軸４，４ａを中心として枢動可能な皿形の収納部品の場合、関連する例で図示しているように、グランドピアノカバーの形態の収納部品３の外側輪郭が好ましい。このような外側輪郭によって、収納部品３の運動をきわめて良好に制御することができるからである。
【００６３】
引き出し部品２を開閉するときの収納部品の運動によって、たとえば室内照明などの電気スイッチを操作することも可能である。
【図面の簡単な説明】
【００６４】
【図１】追加の収納部品を備える引き出し部品が開いている、すなわちキャビネット本体から引き出されている、本発明によるキャビネットを示す斜視図である。
【図２】開いている引き出し部品を示す拡大部分図である。
【図３】図１と図２の引き出し部品をキャビネットの裏側から見た斜視図である。
【図４】引き出し部品の側方領域およびこれに組付け可能な追加の収納部品を示す斜視分解図である。
【図５】図１から図４の引き出し部品を完全に押し込まれた状態で示す部分平面図である。
【図６】引き出し部品が部分的に開放方向へスライドしたときの、図５に対応する部分平面図である。
【図７】引き出し部品がさらに引き出されたときの、図５と図６に対応する部分平面図である。
【図８】引き出し部品をほぼ完全に開けたときの、図５から図７に対応する部分平面図である。
【図９】引き出し部品を完全に開けたときの、図５から図８に対応する部分平面図である。
【図１０ａ】本発明の別の実施形態に基づく引き出し部品を備えたキャビネットを模式的に示す平面図である。
【図１０ｂ】本発明の別の実施形態に基づく引き出し部品を備えたキャビネットを模式的に示す平面図である。
【図１０ｃ】本発明の別の実施形態に基づく引き出し部品を備えたキャビネットを模式的に示す斜視図である。
【図１０ｄ】本発明の別の実施形態に基づく引き出し部品を備えたキャビネットを模式的に示す斜視図である。
【図１１ａ】本発明の別の実施形態に基づく引き出し部品を備えたキャビネットを示す平面図である。
【図１１ｂ】本発明の別の実施形態に基づく引き出し部品を備えたキャビネットを示す平面図である。
【図１１ｃ】本発明の別の実施形態に基づく引き出し部品を備えたキャビネットを示す拡大詳細図である。
【図１２ａ】本発明の別の実施形態に基づくキャビネットの引き出し部品を示すさまざまな斜視図である。
【図１２ｂ】本発明の別の実施形態に基づくキャビネットの引き出し部品を示すさまざまな斜視図である。
【図１２ｃ】本発明の別の実施形態に基づくキャビネットの引き出し部品を示すさまざまな斜視図である。
【図１２ｄ】本発明の別の実施形態に基づくキャビネットの引き出し部品を示す拡大詳細図である。
【図１３ａ】本発明の別の実施形態を示すさまざまな斜視図である。
【図１３ｂ】本発明の別の実施形態を示すさまざまな斜視図である。
【図１３ｃ】本発明の別の実施形態を示す詳細図である。
【図１４ａ】本発明の別の実施形態に基づくキャビネットの引き出し部品を示す平面図である。
【図１４ｂ】本発明の別の実施形態に基づくキャビネットの引き出し部品を示す平面図である。
【図１５ａ】本発明の別の実施形態に基づくキャビネットの引き出し部品を示す平面図である。
【図１５ｂ】本発明の別の実施形態に基づくキャビネットの引き出し部品を示す平面図である。
【図１５ｃ】本発明の別の実施形態に基づくキャビネットの引き出し部品を示す平面図である。
【図１６ａ】引き出し部品がさまざまなスライド位置にある本発明の別の実施形態である。
【図１６ｂ】引き出し部品がさまざまなスライド位置にある本発明の別の実施形態である。
【図１６ｃ】引き出し部品がさまざまなスライド位置にある本発明の別の実施形態である。
【図１７ａ】さまざまなスライド位置で引き出し部品が示されている本発明の別の実施形態である。
【図１７ｂ】さまざまなスライド位置で引き出し部品が示されている本発明の別の実施形態である。
【図１７ｃ】さまざまなスライド位置で引き出し部品が示されている本発明の別の実施形態である。
【図１８ａ】本発明の別の実施形態を示す斜視図である。
【図１８ｂ】本発明の別の実施形態を示す斜視図である。
【図１８ｃ】本発明の別の実施形態を示す斜視図である。
【図１９ａ】本発明の別の実施形態に基づくキャビネットの引き出し部品を示す斜視図である。
【図１９ｂ】本発明の別の実施形態に基づくキャビネットの引き出し部品を示す斜視図である。
【図１９ｃ】本発明の別の実施形態に基づくキャビネットの引き出し部品を示す斜視図である。
【図１９ｄ】本発明の別の実施形態に基づくキャビネットの引き出し部品を示す断面図である。
【図１９ｅ】本発明の別の実施形態に基づくキャビネットの引き出し部品を示す断面図である。
【図１９ｆ】本発明の別の実施形態に基づくキャビネットの引き出し部品を示す断面図である。
【図２０ａ】本発明の別の実施形態に基づくキャビネットを示す斜視図である。
【図２０ｂ】本発明の別の実施形態に基づくキャビネットを示す斜視図である。
【図２０ｃ】本発明の別の実施形態に基づくキャビネットを示す斜視図である。
【図２０ｄ】本発明の別の実施形態に基づくキャビネットを示す断面図である。
【図２０ｅ】本発明の別の実施形態に基づくキャビネットを示す断面図である。
【図２０ｆ】本発明の別の実施形態に基づくキャビネットを示す断面図である。
【図２１ａ】本発明の別の実施形態に基づくキャビネットの引き出し部品を示す断面図である。
【図２１ｂ】本発明の別の実施形態に基づくキャビネットの引き出し部品を示す断面図である。
【図２１ｃ】本発明の別の実施形態に基づくキャビネットの引き出し部品を示す断面図である。
【図２２ａ】本発明の別の実施形態に基づくキャビネットを示す斜視図である。
【図２２ｂ】本発明の別の実施形態に基づくキャビネットを示す斜視図である。
【図２２ｃ】本発明の別の実施形態に基づくキャビネットを示す斜視図である。
【図２２ｄ】本発明の別の実施形態に基づくキャビネットを示す断面図である。
【図２３ａ】本発明の別の実施形態に基づくキャビネットを示す斜視図である。
【図２３ｂ】本発明の別の実施形態に基づくキャビネットを示す複数の断面図である。
【図２３ｃ】本発明の別の実施形態に基づくキャビネットを示す複数の断面図である。
【図２３ｄ】本発明の別の実施形態に基づくキャビネットを示す複数の断面図である。
【図２４ａ】本発明の別の実施形態に基づくキャビネットの引き出し部品を示す平面図である。
【図２４ｂ】本発明の別の実施形態に基づくキャビネットの引き出し部品を示す平面図である。
【図２４ｃ】本発明の別の実施形態に基づくキャビネットの引き出し部品を示す種々の斜視図である。
【図２４ｄ】本発明の別の実施形態に基づくキャビネットの引き出し部品を示す種々の斜視図である。
【図２４ｅ】本発明の別の実施形態に基づくキャビネットの引き出し部品を示す種々の斜視図である。
【図１】
2009504358.tif 000003
【図２】
2009504358.tif 000004
【図３】
2009504358.tif 000005
【図４】
2009504358.tif 000006
【図５】
2009504358.tif 000007
【図６】
2009504358.tif 000008
【図７】
2009504358.tif 000009
【図８】
2009504358.tif 000010
【図９】
2009504358.tif 000011
【図１０ａ】
2009504358.tif 000012
【図１０ｂ】
2009504358.tif 000013
【図１０ｃ】
2009504358.tif 000014
【図１０ｄ】
2009504358.tif 000015
【図１１ａ】
2009504358.tif 000016
【図１１ｂ】
2009504358.tif 000017
【図１１ｃ】
2009504358.tif 000018
【図１２ａ】
2009504358.tif 000019
【図１２ｂ】
2009504358.tif 000020
【図１２ｃ−ｄ】
2009504358.tif 000021
【図１３ａ】
2009504358.tif 000022
【図１３ｂ】
2009504358.tif 000023
【図１３ｃ】
2009504358.tif 000024
【図１４ａ】
2009504358.tif 000025
【図１４ｂ】
2009504358.tif 000026
【図１５ａ】
2009504358.tif 000027
【図１５ｂ】
2009504358.tif 000028
【図１５ｃ】
2009504358.tif 000029
【図１６ａ】
2009504358.tif 000030
【図１６ｂ】
2009504358.tif 000031
【図１６ｃ】
2009504358.tif 000032
【図１７ａ】
2009504358.tif 000033
【図１７ｂ】
2009504358.tif 000034
【図１７ｃ】
2009504358.tif 000035
【図１８ａ】
2009504358.tif 000036
【図１８ｂ】
2009504358.tif 000037
【図１８ｃ】
2009504358.tif 000038
【図１９ａ】
2009504358.tif 000039
【図１９ｂ】
2009504358.tif 000040
【図１９ｃ】
2009504358.tif 000041
【図１９ｄ】
2009504358.tif 000042
【図１９ｅ】
2009504358.tif 000043
【図１９ｆ】
2009504358.tif 000044
【図２０ａ】
2009504358.tif 000045
【図２０ｂ】
2009504358.tif 000046
【図２０ｃ】
2009504358.tif 000047
【図２０ｄ】
2009504358.tif 000048
【図２０ｅ】
2009504358.tif 000049
【図２０ｆ】
2009504358.tif 000050
【図２１ａ】
2009504358.tif 000051
【図２１ｂ】
2009504358.tif 000052
【図２１ｃ】
2009504358.tif 000053
【図２２ａ】
2009504358.tif 000054
【図２２ｂ】
2009504358.tif 000055
【図２２ｃ−ｄ】
2009504358.tif 000056
【図２３ａ】
2009504358.tif 000057
【図２３ｂ】
2009504358.tif 000058
【図２３ｃ】
2009504358.tif 000059
【図２３ｄ】
2009504358.tif 000060
【図２４ａ】
2009504358.tif 000061
【図２４ｂ】
2009504358.tif 000062
【図２４ｃ】
2009504358.tif 000063
【図２４ｄ】
2009504358.tif 000064
【図２４ｅ】
2009504358.tif 000065
【国際調査報告】
2009504358.tif 000066
2009504358.tif 000067
2009504358.tif 000068
2009504358.tif 000069